(57)【要約】【課題】エレベータ制御盤からの電気信号に拠らず、かご扉装置自身の機械的な作動で報知することができ、音声合成アナウンス装置からのメッセージタイミングを気にすることなく案内が出来るエレベータのかご扉開閉案内装置を提供する。【解決手段】複数方向に配設された出入口にそれぞれかご扉装置１０を有するエレベータのかご扉開閉案内装置において、かご扉１の機械的な開閉動作によって起動する例えばオルゴールなどの報知装置８を各かご扉装置に個別に備えるように構成した。【選択図】図１
2008137799.tif 000002
【特許請求の範囲】
【請求項１】
複数方向に配設された出入口にそれぞれかご扉装置を有するエレベータのかご扉開閉案内装置において、かご扉の機械的な開閉動作によって起動する報知装置を各かご扉装置に個別に備えたことを特徴とするエレベータのかご扉開閉案内装置。
【請求項２】
上記報知装置は、かご扉駆動装置によって動作するオルゴール装置を用いたものであることを特徴とする請求項１記載のエレベータのかご扉開閉案内装置。
【請求項３】
上記オルゴール装置のメロディは、上記かご扉駆動装置によって回転するディスクに機械的に記録されたものからなることを特徴とする請求項２記載のエレベータのかご扉開閉案内装置。
【請求項４】
上記オルゴール装置のメロディは、上記かご扉駆動装置によって往復動する直線移動体に機械的に記録されたものからなることを特徴とする請求項２記載のエレベータのかご扉開閉案内装置。
【請求項５】
上記報知装置は、かご扉の開閉を検知する開閉検知スイッチと、この開閉検知スイッチが戸開または戸閉を検知したときに動作する音源装置を用いたものであることを特徴とする請求項１記載のエレベータのかご扉開閉案内装置。
【発明の詳細な説明】
【技術分野】
【０００１】
この発明は、複数方向に出入口を有するエレベータのかご扉開閉案内装置に関する。
【背景技術】
【０００２】
従来のエレベータのかご扉開閉案内装置として、かごに二つ以上の出入口を有し、同一階に上記かごの出入口に対応する二つ以上の出入口を有し、かご内にはその出入口毎にそれぞれ音声アナウンス装置が設置され、それぞれの出入口用のドアが同時に開閉できるようにしたエレベータにおいて、出入口用のドアが同時に開閉する時、出入口毎の音声アナウンス装置から発する音声が重複しないように優先付けを行うエレベータの戸の制御手段を備えたものがある（例えば特許文献１参照。）。
【０００３】
【特許文献１】特開２００６−８２７８号公報（第１頁、図１）
【発明の開示】
【発明が解決しようとする課題】
【０００４】
上記のような従来のエレベータのかご扉開閉案内装置は、エレベータ制御盤からの電気信号により制御するという構成となっていることから、エレベータ制御盤の電気回路が複雑になるという問題点があった。また、音声合成アナウンス装置の場合、戸開閉時は他のアナウンスを発報させなければならないため、戸開側案内に関するアナウンスタイミングがほとんど無いという課題もあった。
【０００５】
この発明は上記のような従来技術の課題を解消するためになされたもので、エレベータ制御盤からの電気信号に拠らずに報知することで、エレベータ制御盤の電気回路を簡単にすることが出来、音声合成アナウンス装置からのメッセージタイミングと関係なく案内が出来るエレベータのかご扉開閉案内装置を得ることを目的としている。
【課題を解決するための手段】
【０００６】
この発明によるエレベータのかご扉開閉案内装置は、複数方向に配設された出入口にそれぞれかご扉装置を有するエレベータのかご扉開閉案内装置において、かご扉の機械的な開閉動作によって起動する報知装置を各かご扉装置に個別に備えたことを特徴とするものである。
【発明の効果】
【０００７】
この発明においては、かご扉の機械的な動作によって起動する報知装置を各かご扉装置に個別に備えるようにしたことにより、エレベータ制御盤の回路が簡素化され、かご扉装置の機械的な開閉動作が始まると共に開閉側の案内を行なうことができ、音声合成アナウンス装置からのメッセージタイミングに関係なく開閉するかご扉の案内が出来る。
【発明を実施するための最良の形態】
【０００８】
実施の形態１．
図１はこの発明の実施の形態１によるエレベータのかご扉開閉案内装置の要部を概念的に示す全体構成図である。図において、エレベータの乗りかごの出入口を開閉するかご扉１は上梁２に設けられた図示省略しているハンガーレールに対して図示省略している戸車を介して吊下されている。上梁２の一端部側には扉駆動装置３によって回動する駆動スプロケット４、他端部側には従動スプロケット５が設けられ、駆動スプロケット４と従動スプロケット５の間には駆動チェーン６が装架されている。そして扉１の一方（図の左側）は駆動チェーン６の下側に、他方（図の右側）は駆動チェーン６の上側に固定具７によってそれぞれ連結されている。上記かご扉１〜固定具７によってかご扉装置１０を構成している。
【０００９】
報知装置８は、この実施の形態１においては、上記扉駆動装置３によって駆動される従動スプロケット５の軸に同軸に回動するように設けられ、表面に多数の所定の突起（図示省略）を有するオルゴール装置を構成するディスク８１と、このディスク８１の突起によって対応する振動片（図示省略）が弾かれて振動する櫛歯状のコーム（振動板）８２、及び振動を大きな音に拡大する図示省略している例えば木箱等の共鳴手段からなっている。なお、該報知装置８は周知のディスク式オルゴールと同様のものであり、ディスク８１の回転により所望のメロディ、例えばこの例では単純なドレミファソラシドの９音階を、戸開時に上方向、戸閉時に下方向に演奏する。そして該報知装置８は、乗りかごの複数方向の出入口にそれぞれ設けられたかご扉装置１０の全てに同じものが同様に設置されている。その他の構成は従来のエレベータと同様であるので説明を省略する。
【００１０】
次に上記のように構成された実施の形態１の動作について説明する。乗客を乗せたエレベータの乗りかごが所定の停止階に到着し、図示省略している制御装置によって複数方向の扉の内、開閉側の扉１を開くために扉駆動装置３が起動されると駆動チェーン６を介して扉１が左右に開き始めると同時に、ディスク８１が回転して図示省略している突起がコーム８２の振動片（図示省略）を弾き、例えばドレミファソラシドの音階を乗りかご内に奏鳴することにより、乗客に戸開側の扉１を報知する。この実施の形態１では機械的な動作のみによって報知が行なわれるので、エレベータの制御盤に音声合成アナウンス装置が設置されている場合であっても、その制御シーケンスやメッセージタイミングに関係なく報知される。
【００１１】
上記のように実施の形態１によれば、かご扉１の機械的な動作によって起動するディスク式オルゴールからなる報知装置８を各かご扉装置１０に個別に備えるようにしたことにより、かご扉装置１０自身の機械的な開閉動作が始まると共にエレベータ制御盤での電気回路を構成することなく戸開側の報知を行なうことができる。また、音声合成アナウンス装置からのメッセージタイミングに関係なく開閉する側のかご扉の案内が出来るので、戸開が例えば前側か後側か明確に区別することができる。また、電気的な制御によらないため、エレベータ制御盤の回路が簡素化され、音声合成アナウンスメッセージとのタイミングを問題にする必要がなくなり、タイミングをずらすことによる戸開閉の違和感も解消される。また、オルゴールの曲はドレミファ…の単純な音階で、かご扉１が開くときは音階が上がっていき、かご扉１が閉まるときは音階が下がっていくことにより、たとえ音声合成アナウンスメッセージと重なったとしても開閉する側のかご扉１を容易に識別できる。
【００１２】
実施の形態２．
図２はこの発明の実施の形態２によるエレベータのかご扉開閉案内装置の要部を概念的に示す全体構成図である。図において、エレベータの報知装置８Ａは、かご扉１に固定されて上梁２に対して図の左右方向に移動自在に設けられ、表面に所定の突起（図示省略）を有するオルゴールを構成する直線移動体８１Ａと、この直線移動体８１Ａの突起によって弾かれて振動する櫛歯状のコーム８２Ａ、及び振動を大きな音に拡大する図示省略している木箱等の共鳴手段からなっている。その他の構成は実施の形態１と同様であるので説明を省略する。
【００１３】
上記のように構成された実施の形態２においては、かご扉１の開閉に連動して直線移動体８１Ａが往復移動し、図示省略している突起が櫛歯状のコーム８２Ａを弾くことで開閉側のかご扉を報知する。この結果、上記実施の形態１と同様、エレベータ制御盤での電気回路を構成することなく、戸開側案内を実現できる。
なお、この例では、表面に所定の突起を有する直線移動体８１Ａを有するオルゴールを用いたが、これに限定されるものではなく、円筒の表面に突起を設けたシリンダー式オルゴールを用いても差し支えない。
【００１４】
実施の形態３．
図３はこの発明の実施の形態３によるエレベータのかご扉開閉案内装置の要部を概念的に示す全体構成図である。上記実施の形態１及び２では、報知装置８を機械的に動作するオルゴールを用いて構成したが、この実施の形態３においては、エレベータ制御盤の電気回路とは独立して電気的に動作する案内装置を構成したものである。即ち図において、報知装置８Ｂは、かご扉１の開閉検知スイッチとしての戸開時用ＣｄＳ（フォトセル）８３ａ、及び戸閉時用ＣｄＳ８３ｂと、戸開用検出片８４ａ、及び戸閉用検出片８４ｂと、この開閉検知スイッチが戸開を検知したときに動作する戸開用音源装置８５ａ、及び戸閉を検知したときに動作する戸閉用音源装置８５ｂからなっている。
【００１５】
なお、上記かご扉１の開閉検知スイッチはＣｄＳと検知片の組合わせによるものに限定されるものではなく、例えばリミットスイッチ、マグネットスイッチなど、かご扉１の開閉を検知出来るものであれば公知のものを特別な制限なく用いることが出来る。また、上記音源装置８５は、例えば音源チップＩＣ、電子ブザーなど、あるいは音源の信号を増幅するアンプや拡声用のスピーカ等を用いた公知の各種音源装置を特別な制限なく用いることが出来、さらに図では戸開用と戸閉用にそれぞれ別に設けた例で示しているが、１つの音源装置で構成することも出来る。その他の構成は実施の形態１と同様であるので説明を省略する。
【００１６】
上記のように構成された実施の形態３においては、上梁２とかご扉１の相対的な動きを利用して検出片８４がＣｄＳ（フォトセル）８３の前部を移動するとＣｄＳ８３に対する光量が変化することで、かご扉１の戸開時または戸閉時を検知し、音源装置８４を駆動することで戸開が前側か後側かを報知する。
上記のように実施の形態３によれば、かご扉装置１０自身の機械的な開閉動作が始まると共にエレベータ制御盤での電気回路を構成することなく戸開側の報知を行なうことができので、音声合成アナウンス装置からのメッセージタイミングに関係なく開閉するかご扉の案内が出来る。これにより戸開が例えば前側か後側か明確に区別することができる。
【００１７】
ところで、上記実施の形態１及び２では報知装置を機械的なオルゴール装置で構成した例を示したが、これに限定されるものではなく、例えば電子的なオルゴール等、図示省略しているエレベータ制御盤と独立して動作するものであれば同様の効果が期待できる。また、エレベータの出入口が２箇所の例について説明したが、３箇所のものでも同様に構成できることは明らかである。その他、この発明の精神の範囲内で種々の変更や変形が出来ることは言うまでもない。
【図面の簡単な説明】
【００１８】
【図１】この発明の実施の形態１によるエレベータのかご扉開閉案内装置の要部を概念的に示す全体構成図である。
【図２】この発明の実施の形態２によるエレベータのかご扉開閉案内装置の要部を概念的に示す全体構成図である。
【図３】この発明の実施の形態３によるエレベータのかご扉開閉案内装置の要部を概念的に示す全体構成図である。
【符号の説明】
【００１９】
１  かご扉、  ２  上梁、  ３  扉駆動装置、  ４  駆動スプロケット、  ５  従動スプロケット、  ６  駆動チェーン、  ７  固定具、  ８、８Ａ、８Ｂ  報知装置、  ８１  ディスク、  ８２、８２Ａ  コーム（振動板）、  ８１Ａ  直線移動体、  ８３  ＣｄＳ（開閉検知スイッチ）（  ８３ａ  戸開時用ＣｄＳ、  ８３ｂ  戸閉時用ＣｄＳ）、  ８４  検出片（  ８４ａ  戸開用検出片、  ８４ｂ  戸閉用検出片）、  ８５  音源装置（  ８５ａ  戸開用音源装置、  ８５ｂ  戸閉用音源装置）、  １０  かご扉装置。
【図１】
2008137799.tif 000003
【図２】
2008137799.tif 000004
【図３】
2008137799.tif 000005